(57)【要約】      （修正有）【課題】  係止によって帯体を環状にするクランプにおいて、係止の解除を防止する。【解決手段】  係止突起２８を係止受突起３９に係止させて帯部１１を環状となした状態では、支え片４７の先端が係止腕２６の背面付近に位置している。係止突起２８と係止受突起３９との係止を解除するには、係止腕２６を環状の帯部１１の外側方向に変位させねばならないが、その変位に対しては支え片４７が係止腕２６の背面に当接して阻むので、係止解除は困難である。【選択図】  図５
2006105232.tif 000002
【特許請求の範囲】
【請求項１】
長尺物をクランプし、該長尺物を板状材に取り付けるクランプにおいて、
一方の端部に取付基部が連接され、他方の端部に係止部が連接される帯部と、
前記取付基部に設けられる係止受部と、
前記取付基部から延設された支柱と、該支柱の先端に連接された矢じり型の弾性片とからなるスナップとを備え、
前記係止部に係止腕と係止片とが延設され、該係止腕の端部に係止突起が設けられ、
前記係止受部に、前記係止片と前記係止突起が係止する凹所と係止受突起とが設けられ、
前記係止部を前記係止受部に係止させて前記帯部を環状体となした状態にあっては、前記係止部と前記係止受部との係止を解除できない範囲に前記係止腕の変位を規制する支え片を前記弾性片の端部に設けた
ことを特徴とするクランプ。
【請求項２】
請求項１記載のクランプにおいて、
前記係止突起は互いに平行方向に延出された２本の前記係止腕それぞれに設けられ、
前記係止受突起は、該２つの係止突起に対応して２つ設けられ、
前記支え片は、前記スナップの一対の弾性片それぞれに１つずつ設けられている
ことを特徴とするクランプ。
【請求項３】
請求項１又は２記載のクランプにおいて、
前記スナップの弾性片を弾性変形させて前記支柱に近接させると前記支え片による前記規制が解かれて、前記係止部と前記係止受部との係止を解除可能になる
ことを特徴とするクランプ。
【請求項４】
請求項１、２又は３記載のクランプにおいて、
前記凹所は、前記取付基部の、前記帯部を環状となした際に該環の内側になる上面に設けられ、
前記係止突起を前記係止受突起に係止させた際に前記係止片が前記凹所に嵌合する
ことを特徴とするクランプ。
【発明の詳細な説明】
【技術分野】
【０００１】
本発明は、管体や棒体を板や壁面に取り付けるためのクランプの技術分野に属する。
【背景技術】
【０００２】
管や棒等の長尺物を板状材に取り付けるためのクランプとして、一方の端部に取付基部が連接され、他方の端部に係止部が連接される帯部、
取付基部から延設された支柱と、この支柱の先端に連接された矢じり型の弾性片とからなるスナップとを備えて、スナップにて板状材（例えば自動車の板金、電子機器の筐体など）に取り付けられ、係止部を係止受部に係止させることで帯部を環状となし、その環状の帯部に挿通させた管や棒等の長尺物を支持するクランプがある。
【特許文献１】実開昭５７−１０４０８１号公報（図３）
【発明の開示】
【発明が解決しようとする課題】
【０００３】
係止部と係止受部との係止で環状となした帯部に管体等を挿通させて保持するクランプでは、上記係止が外れるのは好ましくない。本発明は、この係止が外れるのを防止することを目的としている。
【課題を解決するための手段】
【０００４】
請求項１記載のクランプは、長尺物をクランプし、該長尺物を板状材に取り付けるクランプにおいて、一方の端部に取付基部が連接され、他方の端部に係止部が連接される帯部と、前記取付基部に設けられる係止受部と、前記取付基部から延設された支柱と、該支柱の先端に連接された矢じり型の弾性片とからなるスナップとを備え、
前記係止部に係止腕と係止片とが延設され、該係止腕の端部に係止突起が設けられ、
前記係止受部に、前記係止片と前記係止突起が係止する凹所と係止受突起とが設けられ、
前記係止部を前記係止受部に係止させて前記帯部を環状体となした状態にあっては、前記係止部と前記係止受部との係止を解除できない範囲に前記係止腕の変位を規制する支え片を前記弾性片の端部に設けた
ことを特徴とする。
【０００５】
このクランプにおいては、係止部には係止腕と係止片とが延設され、その係止腕の端部に係止突起が設けられており、係止受部には係止片と係止突起が係止する凹所と係止受突起とが設けられており、係止部を係止受部に係止させて帯部を環状体となす。係止部と係止受部との係止を解除するには、係止部を変位させねばならないが、スナップの弾性片に設けられた支え片が、係止部の変位を係止を解除できない範囲に規制する。これによって、係止が解除されるのを良好に防止できる。
【０００６】
なお、支え片の先端は、係止部を係止受部に係止させた状態で係止部に当接してもよいし、クリアランスがあってもよい。
普通、スナップの弾性片は一対（２枚）とされるから、請求項２記載のように、前記係止突起は互いに平行方向に延出された２本の前記係止腕それぞれに設けられ、前記係止受突起は、該２つの係止突起に対応して２つ設けられ、前記支え片は、前記スナップの一対の弾性片それぞれに１つずつ設けられている構成にするとよい。
【０００７】
また、請求項３記載のように、前記スナップの弾性片を弾性変形させて前記支柱に近接させると前記支え片による前記規制が解かれて、前記係止部と前記係止受部との係止を解除可能になる構成にすれば、弾性片を内側に弾性変形させて支え片を係止部の背面からよけさせることができる。このようにしてから、係止を解除する方向に係止部を移動させれば係止を容易に解除できる。つまり、何らかの理由により管等の長尺物をクランプから外したいときには、上記のようにして容易に外すことができる。
【０００８】
請求項４記載のように、請求項１、２又は３記載のクランプにおいて、前記凹所は、前記取付基部の、前記帯部を環状となした際に該環の内側になる上面に設けられ、前記係止突起を前記係止受突起に係止させた際に前記係止片が前記凹所に嵌合する構成にすると、係止突起と係止片とで取付基部を挟持するので、係止の安定性が高まる。
【発明を実施するための最良の形態】
【０００９】
次に、本発明の実施例等により発明の実施の形態を説明する。なお、本発明は下記の実施例等に限定されるものではなく、本発明の要旨を逸脱しない範囲でさまざまに実施できることは言うまでもない。
［実施例］
図１（（ａ）は正面図、（ｂ）は右側面図、（ｃ）は背面図）に示すように、本実施例のクランプ１０は、帯部１１、帯部１１の先端部に連接された係止部１３、帯部１１の基部が連接されている取付基部１５、支柱１７にて取付基部１５の裏面に連接されたスナップ１９等を備えている。
【００１０】
帯部１１は、詳細は後述するが係止部１３を取付基部１５に係止させることで環状とされ（図４（ａ）参照）、クランプ１０は、その環状の帯部１１にてクランプされた管体又は棒体等の長尺物を支持するために使用される。
【００１１】
帯部１１には、図１（ｂ）に断面形状を示すとおり、環状にした際に内周となる面に凸条２０が設けられている。この凸条２０はコルゲート管の凹溝にはまり込んで、帯部１１（クランプ１０）がコルゲート管の軸方向に相対移動するのを防止する役割を果たす。つまり、本実施例のクランプ１０は、コルゲート管を保持するのに適しているが、これ以外の管体や棒体に使用できることは言うまでもない。
【００１２】
また、凸条２０の一部（本実施例では取付基部１５との連接部分）に押圧突起２１が設けられている。この押圧突起２１は、環状の帯部１１にてクランプされた長尺物の外周（本実施例の場合はコルゲート管の凹溝の外周）に押し着けられる。このため、長尺物が軟質であればその外壁を弾性変形させ、また硬質であれば自身が弾性変形し、その弾性反発力によりクランプ１０が長尺物の周方向に回転するのを防止する。すなわち、長尺物の周方向に対するクランプ１０の位置決め作用を発揮する。従って、ハーネスに外装したコルゲート管にクランプ１０を取り付ける際に、クランプ１０の向き（スナップ１９の向き）をハーネス（コルゲート管）の実装時の向きに揃えておけば、そのままスナップ１９を取付相手の穴に押し込むことができる。また、実装ラインへハーネス（コルゲート管）を搬送する際にも、或いは取付待ちの一時保管時にも、クランプ１０の向きが変化することが防止されるから、上記の実装作業における効果が確保される。なお、押圧突起２１は環状の帯部１１にて長尺物をクランプしたときに長尺物の外周に押し着けられる限りにおいて、その位置及び形状は限定されない。
【００１３】
帯部１１と係止部１３との連接部付近では、図１（ｂ）に良好に示されるとおり凸条２０は無く、図３（ｄ）（Ｄ−Ｄ断面図）に示すように帯部１１の断面形状は長方形である。また、この部分には、屈曲性を高めるために肉薄部２２が設けられている。
【００１４】
係止部１３は直方体状の基部２４にて帯部１１に連接されており、基部２４の先端部（図１において上端部）からは一対の係止腕２６が基部２４に垂直な方向に沿って延出されている。これら係止腕２６には、上述のように帯部１１を環状となした際に、その環の内側向きに凸となる係止突起２８が設けられている。また、基部２４の帯部１１側の端部（図１において下端部）の中央部からは、係止腕２６と平行状に係止片３０が延出されている。
【００１５】
帯部１１の基部が連接されている取付基部１５は略直方体状であるが、上面３１には凹所３３が設けられている。この凹所３３は、上述のように帯部１１を環状となす際に係止片３０を嵌合させるために設けられており、その幅は係止片３０の幅とぼぼ等しい（クリアランス分だけ大きい）。
【００１６】
取付基部１５の裏面側においては、支柱１７が立設された中央リブ３５の両側に溝状部３７が設けられている。この溝状部３７には、図３（ａ）（Ａ−Ａ断面図）に良好に示されるとおり、係止受突起３９が設けられている。係止受突起３９は、上述のように帯部１１を環状となす際に係止突起２８を係止するための突起であり、溝状部３７の幅は係止腕２６の幅を上回っている（本実施例では係止腕２６の幅２．０ｍｍ、溝状部３７の幅２．５ｍｍである。）。すなわち、溝状部３７及び係止受突起３９にて係止受部が構成されている。
【００１７】
また、取付基部１５からは一対の弾性支持板４１が、斜め下向き（約４５°）に延出されている。これら弾性支持板４１は、クランプ１０を板金や筐体等に取り付ける際にスナップ１９と協働する。
【００１８】
スナップ１９は、支柱１７に連接されている頭部４３から一対の弾性片４５（断面形状は図１（ａ）に示すように蒲鉾状）を斜め上向き（約７４°）に延出した錨状であり、弾性支持板４１と協働しての機能は周知の通りである。
【００１９】
但し、弾性片４５の先端に各１枚の支え片４７が立設されている点で周知のスナップとは異なっている。支え片４７は図１における上下方向に沿った板状で、互いに平行状になっている。
【００２０】
このクランプ１０は、図４（ｂ）に示すように、係止突起２８を係止受突起３９に係止させることで帯部１１を環状となす。このとき、凹所３３に嵌合した係止片３０と係止腕２６とで取付基部１５を挟持する状態になるので、係止突起２８による係止の安定性が高まる。
【００２１】
その係止突起２８を係止受突起３９に係止した状態では、図４（ｂ）、（ｃ）及び図５に示すように支え片４７の先端が係止腕２６の背面付近に位置している。本実施例では、支え片４７の先端と係止腕２６の背面との間にわずかなクリアランスがあるが、両者が接していてもよい。
【００２２】
係止突起２８と係止受突起３９との係止を解除するには、係止突起２８（係止腕２６）を環状の帯部１１の外側方向に変位させねばならないが、その変位をなそうとすると支え片４７が、係止腕２６の背面に当接して係止を解除する方向への係止腕２６の変位を阻む。これによって、係止が解除されるのを良好に防止できる。
【００２３】
なお、係止腕２６を溝状部３７に挿入して、係止突起２８を係止受突起３９に係止させる際には支え片４７が係止腕２６の背面に接触するが、そのときは支え片４７が弾性変形するので係止操作を阻害しない。
【００２４】
また、スナップ１９の弾性片４５を支柱１７に押しつけるように内側に弾性変形させると、支え片４７が支柱１７に押し当てられる位置になる。上述したように溝状部３７の幅は係止腕２６の幅よりも大きく、支え片４７が支柱１７に押し当てられると、図４（ｃ）に２点鎖線で示すように支え片４７が係止腕２６の背面からよけた状態になる。このようにしてから、係止を解除する方向に係止腕２６を変位させれば係止を容易に解除できる。つまり、何らかの理由により管体等をクランプ１０から外したいときには、このようにして容易に外すことができる。
【００２５】
以上説明したとおり、本実施例のクランプ１０においては、係止突起２８と係止受突起３９との係止を解除するには、係止突起２８（係止腕２６）を環状になっている帯部１１の外側方向に変位させねばならないが、スナップ１９の弾性片４５に設けられた支え片４７が、その先端を係止腕２６の背面付近に位置させているので、これが係止を解除する方向への係止腕２６の変位を阻む。これによって、係止が解除されるのを良好に防止できる。
【００２６】
しかも、係止突起２８と係止受突起３９とを係止させたときには、凹所３３に嵌合した係止片３０と係止腕２６とで取付基部１５を挟持する状態になるので、係止突起２８による係止の安定性が高まる。
【００２７】
また、弾性片４５を内側に弾性変形させると支え片４７が係止腕２６の背面からよけるので、このようにしてから、係止を解除する方向に係止腕２６を変位させれば係止を容易に解除できる。つまり、何らかの理由により管体等をクランプ１０から外したいときには、容易に外すことができる。
【図面の簡単な説明】
【００２８】
【図１】実施例のクランプの３面図。
【図２】実施例のクランプの平面図（ａ）及び底面図（ｂ）。
【図３】実施例のクランプのＡ−Ａ断面図（ａ）、Ｂ−Ｂ断面図（ｂ）、Ｃ部拡大図（ｃ）及びＤ−Ｄ断面図（ｄ）。
【図４】実施例のクランプで帯部を環状にした状態の説明図であり、（ａ）は正面図、（ｂ）、（ｃ）は係合状態を説明するための部分断面図。
【図５】実施例のクランプで帯部を環状にした状態の底面側斜視図。
【符号の説明】
【００２９】
１０・・・クランプ、
１１・・・帯部、
１３・・・係止部、
１５・・・取付基部、
１７・・・支柱、
１９・・・スナップ、
２１・・・押圧突起、
２６・・・係止腕、
２８・・・係止突起、
３０・・・係止片、
３３・・・凹所、
３７・・・溝状部、
３９・・・係止受突起、
４５・・・弾性片、
４７・・・支え片。
【図１】
2006105232.tif 000003
【図２】
2006105232.tif 000004
【図３】
2006105232.tif 000005
【図４】
2006105232.tif 000006
【図５】
2006105232.tif 000007